(57)【要約】【課題】伝送周波数の高い信号を伝送する際にも確実に放射ノイズを低減することのできる構造のケーブルを有する内視鏡装置を提供する。【解決手段】先端部に固体撮像装置を有する電子内視鏡を備えた内視鏡装置において、上記固体撮像措置は、固体撮像素子と、少なくとも上記固体撮像素子の外周を覆うシールド部材と、を備え、上記固体撮像素子の前面にカバーガラスを貼付するとともに、少なくともこのカバーガラスを介して上記固体撮像素子を枠体に接続し、上記固体撮像素子の外周に絶縁部材を介して上記シールド部材を配置したことを特徴とする。【選択図】図３１
2004249119.tif 000002
【特許請求の範囲】
【請求項１】
先端部に固体撮像装置を有する電子内視鏡を備えた内視鏡装置において、
上記固体撮像措置は、
固体撮像素子と、
少なくとも上記固体撮像素子の外周を覆うシールド部材と、
を備え、
上記固体撮像素子の前面にカバーガラスを貼付するとともに、少なくともこのカバーガラスを介して上記固体撮像素子を枠体に接続し、上記固体撮像素子の外周に絶縁部材を介して上記シールド部材を配置したことを特徴とする内視鏡装置。
【請求項２】
前記絶縁部材を熱収縮チューブで構成したことを特徴とする請求項１に記載の内視鏡装置。
【発明の詳細な説明】
【技術分野】
【０００１】
本発明は、内視鏡からの不要輻射ノイズの放射及び内視鏡への不要ノイズの混入を低減する内視鏡装置に関する。
【背景技術】
【０００２】
近年、病院内等で用いられる電気機器装置に対し、ＥＭＣ（電磁妨害を与える問題（ＥＭＩ）と電磁妨害を受ける問題（ＥＭＳ）とを総称する）対策が充分施されていることが益々望まれる状況にあり、内視鏡装置についてもＥＭＣ対策が重要な技術的事項の一つとなっている。
【０００３】
これに対処し、例えば、本出願人による特開平７−１８４８５２号公報には、固体撮像素子（以下ＣＣＤと称す）を駆動し且つ電気信号を取り出すためのケーブルを、複数の信号線を撚り束ね、その外周にノイズを遮蔽するシールド体を施して構成した技術が開示されている。上記ＣＣＤケーブルにおいて、ＣＣＤの入出力信号のうち、駆動信号やＣＣＤ出力信号を伝送するための信号線には、同軸信号線が用いられており、この同軸信号線は、例えば銅合金線を素材にした内部導体層と、テフロン（Ｒ）系樹脂を素材にした誘電体（絶縁体）層と、銅合金を素材にした外部導体層と、テフロン（Ｒ）系樹脂を素材にした絶縁体層とを積層した構造となっている。
【０００４】
このような技術によれば、駆動信号を伝送する信号線等から放射されるノイズは、信号線（同軸信号線）の外部導体層や、ケーブル最外周に配置されるシールド体によって遮蔽される。
【発明の開示】
【発明が解決しようとする課題】
【０００５】
しかしながら、信号伝送時に発生するノイズは、伝送される信号の周波数が高くなると、上記外部導体やシールド体のみでは、充分に遮蔽しきれない虞がある。特に、特にＣＣＤを駆動するための水平転送パルスの駆動周波数は、数ＭＨｚ〜十数ＭＨｚと高く、この水平転送パルスを伝送する際に発生するノイズは、もはや遮蔽しきれなくなる虞があった。
【０００６】
本発明は上記事情に鑑みてなされたもので、伝送周波数の高い信号を伝送する際にも確実に放射ノイズを低減することのできる構造のケーブルを有する内視鏡装置を提供することを目的とする。
【課題を解決するための手段】
【０００７】
本発明の第１の内視鏡装置は、先端部に固体撮像装置を有する電子内視鏡を備えた内視鏡装置において、上記固体撮像措置は、固体撮像素子と、少なくとも上記固体撮像素子の外周を覆うシールド部材と、を備え、上記固体撮像素子の前面にカバーガラスを貼付するとともに、少なくともこのカバーガラスを介して上記固体撮像素子を枠体に接続し、上記固体撮像素子の外周に絶縁部材を介して上記シールド部材を配置したことを特徴とする。
【０００８】
本発明の第２の内視鏡装置は、前記第１の内視鏡装置において、前記絶縁部材を熱収縮チューブで構成したことを特徴とする。
【発明の効果】
【０００９】
本発明によれば、伝送周波数の高い信号を伝送する際にも確実に放射ノイズを低減することのできる構造のケーブルを有する内視鏡装置を提供することができる。
【発明を実施するための最良の形態】
【００１０】
以下、図面を参照して本発明の実施の形態を説明する。
【００１１】
図１〜図４は本発明の一実施の形態に係り、図１は内視鏡装置を示す全体構成図、図２は電子内視鏡の先端部の要部断面図、図３はＣＣＤケーブルの要部を示す断面図、図４は同軸信号線の要部を示す断面図、である。
【００１２】
先ず、図１に基づいて、本発明が適用される内視鏡装置の概略について説明する。 
図１に示す内視鏡装置１は、電磁妨害対策手段を備えた電子内視鏡２と、この電子内視鏡２が接続されることにより、照明光を供給する光源装置３と、電子内視鏡２にスコープケーブル４を介して接続され、電子内視鏡２に内蔵された固体撮像素子（以下、ＣＣＤと略記）２５（図２参照）に対する信号処理を行うビデオプロセッサ５と、このビデオプロセッサ５と接続されたモニタケーブルを介して入力され、映像信号を表示するカラーモニタ６と、を備えて構成されている。
【００１３】
上記電子内視鏡２は、体腔内等に挿入自在な細長の挿入部７と、この挿入部７の後端に接続された操作部８と、この操作部８から延出されたユニバーサルコード部９と、このユニバーサルコード部９の端部に設けられ、光源装置３に着脱自在に接続されるスコープコネクタ部１０とを有して構成されている。
【００１４】
ここで、上記スコープコネクタ部１０の側部には接点コネクタ部１０ａが設けられ、この接点コネクタ部１０ａには電気コネクタ４ａを介してスコープケーブル４が着脱自在に接続されている。さらに、上記スコープケーブル４の他端には、電気コネクタ４ｂを介してビデオプロセッサ５が着脱自在に接続されている。
【００１５】
上記挿入部７は、内部に固体撮像装置２２が設けられた先端部１２と、この先端部１２の後端に形成された湾曲自在の湾曲部１３と、この湾曲部１３の後端から操作部８の前端に至る長尺の可撓管部２１とからなる。
【００１６】
また、上記操作部８には、湾曲操作ノブ１４が設けられ、グリップ部１８を把持してこの湾曲操作ノブ１４を操作することにより湾曲部１３を湾曲するようになっている。また、上記操作部８の側面には、送気・送水制御を行う送気・送水制御部１５と、吸引の制御を行う吸引制御部１６とが設けられている。さらに、この操作部８の頂部には複数のスイッチ１７ａを備えたスイッチ部１７が設けられている。
【００１７】
また、上記挿入部７、操作部８及び、ユニバーサルコード部９の内部には、照明光を伝送する図示しないライトガイドが挿通されている。このライトガイドは、後端がスコープコネクタ部１０に至り、光源装置３内部のランプから供給される照明光を伝送し、先端部１２の照明窓２０に固定された先端面から前方に出射して患部などの被写体を照明するようになっている。
【００１８】
上記照明光によって照明された被写体像は、照明窓２０に隣接された観察窓１９内に取り付けられた対物光学系ユニット２３を介して、その結像位置に配置された固体撮像素子（以下ＣＣＤと称す）２５に結像され、ＣＣＤ２５により光電変換される（図２参照）。
【００１９】
また、上記ＣＣＤ２５にはＣＣＤケーブル３０が接続され、このＣＣＤケーブル３０はスコープコネクタ部１０内に収納された図示しないノイズ低減器を介してスコープケーブル４と接続され、このスコープケーブル４はビデオプロセッサ５と接続される。
【００２０】
また、上記挿入部７内には図示しない送気・送水管路が挿通されている。この送気・送水管路は操作部８で送気・送水制御部１５に接続され、さらにユニバーサルコード部９内を挿通された送気・送水管路を介してその端部がスコープコネクタ部１０に至り、光源装置３内の送気・送水機構と接続される。
【００２１】
また、挿入部７内に挿通された図示しない吸引管路は操作部８の前端付近で２つに分岐され、一方は鉗子口１１ｂに連通し、他方は吸引制御部１６を介してユニバーサルコード部９内の吸引管路と連通してスコープコネクタ部１０の図示しない吸引口金に至る。
【００２２】
また、吸引管路は先端部１２で先端開口１１ａとして開口され、この先端開口１１ａは吸引動作時には吸引を行う吸引口として機能し、鉗子口１１ｂから鉗子を挿入した場合には鉗子が突出される鉗子出口として機能する。
【００２３】
次に、図２に基づいて、上記電子内視鏡２の先端部１２の主として固体撮像装置の構成について説明する。 
上記先端部１２は、上記対物光学系ユニット２３と、この対物光学系ユニット２３の後方に配設された固体撮像装置２２と、を備えて構成されている。
【００２４】
上記対物光学系ユニット２３は、複数のレンズからなる対物レンズ群２４と、この対物レンズ群２４を内部に保持する対物レンズ枠２８と、を備えて構成され、対物レンズ枠２８が先端枠３５に嵌合されることによって先端部１２に保持されている。
【００２５】
また、上記対物レンズ枠２８の基端側にはＣＣＤホルダ２７が外嵌され、このＣＣＤホルダ２７を介して上記固体撮像装置２２が対物光学系ユニット２３に保持されている。
【００２６】
具体的には、上記ＣＣＤホルダ２７の内周には、上記対物レンズ群２４に対向されたカバーガラス２６が保持されている。
【００２７】
また、上記カバーガラス２６の基端面には、ＣＣＤ２５が取り付けられている。このＣＣＤ２５はＣＣＤチップ２５ａを備えて構成され、このＣＣＤチップ２５ａは前面に貼付されたカバーガラス２５ｂを介して上記カバーガラス２６に取り付けられている。
【００２８】
また、上記ＣＣＤチップ２５ａの前面の一部には接点としてのバンプ２５ｅが設けられ、ＣＣＤチップ２５ａはバンプ２５ｅを介して回路基板２５ｃと接続されている。
【００２９】
ここで、上記回路基板２５ｃは、いわゆるＴＡＢ構造をなし、ポリイミド基材２５ｆと、このポリイミド基材２５ｆ上に設けられた銅箔からなる導体パターン２５ｄとを備えて構成されている。上記導体パターン２５ｄの一部はバンプ２５ｅの近傍でポリイミド基材２５ｆの端部より延出され、この延出された導体パターン２５ｄがバンプ２５ｅに接合されてＣＣＤチップ２５ａとの信号の授受が行われるようになっている。また、上記導体パターン２５ｄとバンプ２５ｅとの接合部周辺は、封止樹脂２５ｇによって密封されている。
【００３０】
また、上記回路基板２５ｃ上には、図示しないランドが設けられ、ＣＣＤチップ２５ａからの出力信号を増幅するＩＣ、ノイズをキャンセルする為のコンデンサ、インピーダンスマッチングを確保する為の抵抗等からなる電子部品２９が実装されている。なお、前記ＩＣやコンデンサや抵抗は予めＣＣＤチップ２５ａに内蔵する構成としても良い。
【００３１】
また、上記回路基板２５ｃ上には、ＣＣＵ（カメラコントロールユニット）等との間で信号を授受するためのＣＣＤケーブル３０が接続されている。このＣＣＤケーブル３０は、例えば、２５ａへ駆動信号を伝送する同軸信号線３９と、ＣＣＤチップ２５ａからの出力信号を図示しないプロセッサへ伝送する為の同軸信号線４０と、ＣＣＤチップ２５ａを駆動する為の電源供給用の単純信号線４１と、を有して構成され、これらの各信号線がＣＣＤケーブル３０の先端部から延出されて上記回路基板２５ｃに接続されている。ここで、前記複数の同軸信号線の外部導体群４２はＣＣＤチップ２５ａから配線されているＧＮＤ電位へ接続される。また、図示のように、固体撮像装置２２の小型化が図られ、回路基板２５ｃ上に複数の信号線接続用のランドを設けることが困難な場合には、電子部品２９の電極上に信号線を配置する構成がとられる。なお、このＣＣＤケーブル３０のより詳細な構成については後で詳述する。
【００３２】
また、上記ＣＣＤホルダ２７には、シールド部材３２が外嵌されている。このシールド部材３２は、不要輻射を抑制すべくＣＣＤケーブル３０の先端部近傍まで延出されてＣＣＤ２５の外周を覆うもので、ＣＣＤ２５のＧＮＤライン（図示せず）に導通されている。
【００３３】
また、上記シールド部材３２の内周であって、上記ＣＣＤホルダ２７の基部からＣＣＤ２５にかけての外周には、ＣＣＤ２５がシールド部材３２に接触してＧＮＤ電位にショートすることを防止するための、絶縁部材３１が被覆されている。
【００３４】
また、上記シールド部材３２の外周には、被覆部材３４が設けられている。この被覆部材３４は、上記ＣＣＤホルダ２７の先端部からＣＣＤケーブル３０の先端部にかけて固体撮像装置２２全体を被覆して密封するもので、被覆部材３４を密閉する際には、ＣＣＤ２５、回路基板２５ｃ、各信号線等の周囲に充填剤３３が充填される。この充填剤３３は、例えばエポキシ系やシリコン系の接着剤でも良い。
【００３５】
ここで、このように構成された固体撮像装置２２は、対物レンズ群２４とＣＣＤチップ２５ａとの間でピント合わせが行われた状態で対物レンズ枠２８にＣＣＤホルダ２７が嵌合固定されて対物光学系ユニット２３に固定される。なお、対物レンズ枠２８とＣＣＤホルダ２７との固定の際には例えばエポキシ系の接着剤が用いられる。
【００３６】
上記先端枠３５の基端側には、図示しない湾曲管を構成する湾曲第１コマ３７が接続されている。
【００３７】
また、上記先端枠３５の前面側には樹脂製の先端カバー３６が設けられ、さらに、上記先端枠３５や湾曲第１コマ３７の外周にはゴム製の被覆部材３８が設けられて先端部１２が密封されている。
【００３８】
このような電子内視鏡２においては、ＣＣＤ２５を駆動する為に、ＣＣＤケーブル３０を介して種々の信号がＣＣＤ２５とプロセッサとの間で授受される。特にＣＣＤ２５を駆動する信号として、水平転送パルスや垂直転送パルス、駆動電源が存在するが、特に水平転送パルスの駆動周波数は数ＭＨｚ〜十数ＭＨｚと高い。従って、電子内視鏡２の放射ノイズを発生させる原因は主としてこの水平転送パルス信号であり、この水平転送パルス信号を伝送する信号線から放射することが知られている。
【００３９】
次に、図３，図４に基づいて、上記電子内視鏡２に適用され、水平転送パルス信号を伝送するにも好適なＣＣＤケーブル３０の構成について詳しく説明する。  図３に示すように、上記ＣＣＤケーブル３０は、水平転送パルスを伝送する同軸信号線３９と、比較的駆動周波数の低い垂直転送パルスと、ＣＣＤからの出力信号を伝送する同軸信号線４０と、ＣＣＤ及びハイブリッドＩＣ駆動電源を伝送する単純信号線４１と、比較的駆動周波数の低い垂直転送パルス等の他の信号を伝送する同軸信号線４３とからなる信号線の撚り線群を主として構成されている。
【００４０】
これらの信号線の撚り中心には、例えば綿糸や弾性体からなる介在部材３０ｄが設けられている。
【００４１】
また、上記撚り線群の外周には、例えばテフロン（Ｒ）系のテープからなる保護テープ３０ｃが巻装されている。
【００４２】
また、上記保護テープ３０ｃの外周には、撚り線群全体を覆い、不要輻射の抑制もしくは他からの放射ノイズの侵入を防止する為のシールド体３０ｂが設けられている。
【００４３】
さらに、上記ＣＣＤケーブル３０の最外周である保護テープ３０ｃの外周には、テフロン（Ｒ）を素材にしたシース３０ａが設けられている。
【００４４】
図４に示すように、上記同軸信号線３９は、その中心に内部導体３９ａを有し、この内部導体３９ａの外周には例えばテフロン（Ｒ）を素材とした絶縁体３９ｂが被覆されている。
【００４５】
また、上記絶縁体３９ｂの外周には第１の外部導体３９ｃが設けられ、さらに、第１の外部導体３９ｃの外周には第２の外部導体３９ｄが設けられている。
【００４６】
ここで、上記第１の外部導体３９ｃは、素線径０．０３ｍｍの銅合金線を２０本程度撚った撚り線で構成され、絶縁体３９ｂの外周に横巻きに巻装されている。この銅合金線には、例えばすずメッキの処理が行なわれる。なお、上記第１の外部導体３９ｃの導体抵抗値を低く抑える場合には、すずメッキに代えて銀メッキ処理を行っても良い。
【００４７】
また、上記第２の外部導体３９ｄは、基材であるポリエステルテープに導体抵抗の低い金属が蒸着されて構成され、第１の外部導体３９ｃの外周に隙間なくもしくはオーバーラップするように巻装されている。この蒸着される金属としては、銅もしくはアルミニウムが適用される。このような金属蒸着は、ポリエステル基材の両面に施しても良いし、放射ノイズのレベルによっては片面でも良い。なお、第２の外部導体３９ｄをポリエステルテープの片面のみに金属を蒸着して構成する場合には、第２の外部導体３９ｄは金属蒸着面を第１の外部導体に密着するようにして巻装される。
【００４８】
さらに、上記第２の外部導体３９ｄの外周には、例えばテフロン（Ｒ）を素材とする絶縁体３９ｅが設けられている。
【００４９】
なお、垂直転送パルスやＣＣＤからの出力信号を伝送する同軸信号線４０は、第２の外部導体３９ｄが設けられていないことを除いて、上記同軸信号線３９と略同様な構成となっている。また、単純信号線４１は、内部導体の外周に絶縁体が被覆された構成となっている。
【００５０】
このような実施の形態によれば、駆動周波数の高い水平転送パルスを伝送する同軸信号線３９に２重のシールドを設けたことにより、水平転送パルスを伝送する際に内部導体３９ａから放射される放射ノイズを抑えることができる。
また、上記同軸信号線３９を含む複数の信号線を撚り束ねた撚り線群の外周にシールド体３０ｂを設けてＣＣＤケーブル３０を構成したので、同軸信号線３９からの放射されるノイズをより確実に抑えることができる。
【００５１】
また、上記第１の外部導体３９ｃは、絶縁体３９ｂの外周に横巻きに巻装されるものなので、第１の外部導体３９ｃが巻装時に重畳されて同軸信号線３９が太径化することを防止できる。
【００５２】
また、第２の外部導体３９ｄは、ポリエステルテープに金属を蒸着して構成したものなので、第２の外部導体３９ｄの厚みを薄く形成することができ、２重のシールドを設けたことによる同軸信号線３９の太径化を最小限に抑えることができる。
【００５３】
次に、図５は本発明による上述の実施の形態の変形例を示し、図５はＣＣＤケーブルの要部を示す断面図である。この変形例の内視鏡装置は、ＣＣＤケーブルの構造が上述の実施の形態と異なる。なお、上述の実施の形態と同様の構成については同符号を付して説明を省略する。
【００５４】
この変形例におけるＣＣＤケーブル４４の中心には、高周波の駆動信号である水平転送パルスの伝送用の同軸信号線３９が撚り束ねられて構成された第１の撚り線群４４ｅが配設されている。
【００５５】
上記第１の撚り線群４４ｅの外周には介在部材４４ｈが設けられ、さらに、この介在部材４４ｈの外周には第１のシールド体４４ｄが設けられている。
【００５６】
また、上記第１のシールド体４４ｄの外周には、ＣＣＤからの出力信号を伝送する同軸信号線４０と、ＣＣＤ及びハイブリッドＩＣ駆動電源を伝送する単純信号線４１と、比較的駆動周波数の低い垂直転送パルス等の他の信号を伝送する同軸信号線４３、及び、線状形成された介在部材４４ｇが撚り束ねられて構成された第２の撚り線群４４ｆが配設されている。なお、上記介在部材４４ｇは、第２の撚り線群４４ｆの内径が所定の内径を有する場合には省略してもよい。
【００５７】
また、上記第２の撚り線群４４ｆの外周には、テフロン（Ｒ）を素材とした保護テープ４４ｃが螺旋状に密着して巻装されている。
【００５８】
また、上記保護テープ４４ｃの外周には第２のシールド体４４ｂが設けられ、さらに、この第２のシールド体４４ｂの外周にはテフロン（Ｒ）を素材にしたシース４４ａが設けられている。
【００５９】
このような変形例によれば、大きなノイズの発生源である水平転送パルスを伝送する同軸信号線３９を中心に配置し、この同軸信号線３９の外周を第１のシールド体４４ｄ、第２の撚り線群４４ｆ、及び、第２のシールド体４４ｂで覆うことにより、同軸信号線３９から発生する輻射ノイズの遮蔽効果を向上することができ、より効果的に、不要輻射のレベルの低減を図ることができる。
【００６０】
［付記］
（付記１−１）
固体撮像素子を有し、この固体撮像素子への入出力信号を伝送するケーブルを備えた内視鏡装置において、
前記ケーブルを構成する複数の信号線のうち、高周波信号を伝送する信号線を同軸信号線で構成し、本同軸信号線の外部導体を第１の外部導体と第２の外部導体から成る２重シールド体としたことを特徴とする内視鏡装置。
【００６１】
（付記１−２）
前記２重シールド体のうち、第１のシールドをなす上記第１の外部導体は横巻きの銅合金線で構成し、第２の外部導体をなす上記第２の外部導体は、ポリエステル基材に導伝率の高い金属を蒸着して構成したことを特徴とする付記１−１に記載の内視鏡装置。
【００６２】
（付記１−３）
前記２重シールド体を有する信号線は、少なくとも水平転送パルス信号を伝送する信号線であることを特徴とする付記１−１に記載の内視鏡装置。
【００６３】
（付記１−４）
前記固体撮像素子への入出力信号を伝送する前記ケーブルは、
少なくとも高周波信号を伝送する前記信号線を含む複数の信号線の外周を被覆してノイズを遮断するシールド体を備えたことを特徴とする付記１−１乃至付記１−３に記載の内視鏡装置。
【００６４】
（付記１−５）
前記固体撮像素子への入出力信号を伝送する前記ケーブルは、
該ケーブルの中心に配設された、少なくとも高周波信号を伝送する前記信号線を含む複数の信号線を撚り束ねて形成した第１の撚り線群と、
この第１の撚り線群の外周を被覆してノイズを遮断する第１のシールド体と、  この第１のシールド体の外周で前記第１の撚り線群以外の信号線を撚り束ねて形成した第２の撚り線群と、
この第２の撚り線群の外周を被覆してノイズを遮断する第２のシールド体と、を備えたことを特徴とする付記１−１乃至付記１−３に記載の内視鏡装置。
【００６５】
ところで、先端部に固体撮像素子が配設された電子内視鏡において、固体撮像装置は、固体撮像素子と、電子部品が実装された回路基板とを有して構成され、上記固体撮像素子は、回路基板を介してＣＣＤケーブルに接続され、このＣＣＤケーブルを介して、制御装置との信号の授受が行われる。このような場合、上記固体撮像素子、回路基板、及び、ＣＣＤケーブルは、挿入部の長手方向に沿ってシリアルに配置されて互いに接続されている。
【００６６】
しかしながら、上記各部材を挿入部の長手方向に沿ってシリアルに接続した場合、先端部の長さを長大化させてしまう。 
また、上記各部材をシリアルに接続した場合、固体撮像装置を構成する部材の一部が故障した際に、構成部材の部分交換を行うことが困難であった。
【００６７】
そこで、上記問題点に鑑み、先端部の長さを短くし且つ固体撮像装置の構成部材の部分交換を容易に行うことのできる内視鏡装置について説明する。
【００６８】
図６は、先端部の長さを短くし且つ固体撮像装置の構成部材の部分交換を容易に行うことのできる内視鏡装置の一実施の形態に係わり、図６は電子内視鏡の先端部の要部断面図である。
【００６９】
図中符号１２Ａは、内視鏡装置を構成する電子内視鏡の先端部を示す。この先端部１２Ａは、対物光学系ユニット４６と、この対物光学系ユニット４６の後方に配置された固体撮像装置４５とを備えて構成されている。
【００７０】
上記対物光学系ユニット４６は、複数のレンズからなる対物レンズ群５７と
、この対物レンズ群５７を内部に保持する対物レンズ枠５８と、を備えて構成され、対物レンズ枠５８が先端枠５６に嵌合されることによって先端部１２Ａに保持されている。
【００７１】
また、上記先端枠５６の内部に臨まされた対物レンズ枠５８の基端側にはＣＣＤホルダ４９が外嵌され、このＣＣＤホルダ４９を介して上記固体撮像装置４５が対物光学系ユニット４６に保持されている。
【００７２】
具体的には、上記ＣＣＤホルダ４９の内周には、上記対物レンズ群５７に対向されたカバーガラス４８が保持されている。
【００７３】
また、上記カバーガラス４８の基端面には、固体撮像素子（以下、ＣＣＤと称す）４７が取り付けられている。ここで、上記ＣＣＤ４７は、上記先端枠５６内に略格納された状態で配設され、ＣＣＤ４７の基端面に設けられたリード４７ａのみが先端枠５６の外部に露呈されている。
【００７４】
また、上記リード４７ａには、第１の回路基板５０が設けられている。この第１の回路基板５０は、例えばポリイミド基材に銅箔のパターン５０ａを積層したフレキシブル基板で構成されている。上記第１の回路基板５０にはリード４７を挿入可能なリード接続孔５０ｂが設けられ、このリード接続孔５０ｂにリード４７が挿通されハンダ等で固定されることによって、第１の回路基板５０はＣＣＤ４７に保持されるとともに、ＣＣＤ４７と第１の回路基板５０との間での信号の授受が行われるようになっている。また、上記第１の回路基板５０上には、図示しないランドが設けられ、ＣＣＤ４７からの出力信号を増幅するＩＣ、ノイズをキャンセルする為のコンデンサ、インピーダンスマッチングを確保する為の抵抗等からなる電子部品５１が実装されている。なお、前記ＩＣやコンデンサや抵抗は予めＣＣＤ４７に内蔵する構成としても良い。ここで、上記第１の回路基板５０は、その基板面がＣＣＤ４７の基端面に対して平行に配設されており、第１の回路基板５０の一端部のみが先端部１２Ａの先端側に向かってＬ字状に屈曲されている。また、第１の回路基板５０の屈曲された一端部の先端からは、上記パターン５０ａがポリイミド基材から延出されている。
【００７５】
また、上記先端枠５６の基端側には、上記第１の回路基板５０と同様の素材で構成された、第２の回路基板５２が設けられている。この第２の回路基板５２は略Ｌ字形状をなし、第２の回路基板５２の一端側は、先端枠５６の周部に沿って配設され、その端部が第１の回路基板５０から延出されたパターン５０ａに臨まされている。すなわち、この第２の回路基板５２の一端側は、先端枠５６の周部に沿って円弧状に形成されている。上記第２の回路基板５２の一端側端部には、図示しないランドが設けられており、このランドに上記パターン５０ａが例えばハンダ付けされて第１の回路基板５０と第２の回路基板５２とが接続されている。一方、上記第２のランドの他端側は、先端枠５６の基端部から突出して配置され、その端部近傍にはランド５２ａが設けられている。このランド５２ａには、ＣＣＤケーブル５３を構成する信号線５４がハンダ等によって接続されている。
【００７６】
なお、図中符号５５は、図示しない光源装置からの照明光を伝送するライトガイドである。
【００７７】
このような実施の形態によれば、以下の作用、効果がある。 
ＣＣＤ４７とＣＣＤケーブル５３との間に介装される回路基板を第１の回路基板５０と第２の回路基板５２とで構成し、第１の回路基板５０を基板面がＣＣＤ４７の基端面に平行となるよう配設し、第２の回路基板５２を先端枠５６の縁部に沿って配設したので、回路基板を設けるための長手方向のスペースを短縮でき、電子内視鏡の先端部１２Ａの長さを短縮することが出来る。
【００７８】
また、電子内視鏡の硬質長に対し、ＣＣＤケーブル５３の固定部を前側に配置することが出来るため、ＣＣＤケーブル５３の固定部の強度を確保することが出来る。
【００７９】
また、ＣＣＤ４７に第１の回路基板５０を接続する一方、ＣＣＤケーブル５３に第２の回路基板５２を接続し、これら第１，第２の回路基板５０，５３を介して、ＣＣＤ４７とＣＣＤケーブル５３とを接続したので、ＣＣＤ４７とＣＣＤケーブル５３とを別々にリペアすることが出来、リペア性やサービス性が向上する。
【００８０】
なお、本実施の形態では、第２の回路基板５２の一端側の形状を円弧状に形成した例を示したが、これに限らず、例えば、先端枠５６の周部に沿って円筒状に形成してもよいし、角筒状に形成してもよい。
【００８１】
ところで、先端部に固体撮像素子が配設された電子内視鏡において、固体撮像装置は、固体撮像素子と、電子部品が実装された回路基板とを有して構成され、上記固体撮像素子は、回路基板を介してＣＣＤケーブルに接続され、このＣＣＤケーブルを介して、制御装置との間で信号の授受が行われる。このような固体撮像装置において、回路基板とＣＣＤケーブルの信号線との接続は、一般に、はんだ付け等により行われる。
【００８２】
しかしながら、上記内視鏡装置において、ＣＣＤケーブルには湾曲部の湾曲操作等に伴う曲げや引っ張り等が発生するため、これによって、ＣＣＤケーブルと回路基板との接続部が断線される虞があった。これに対処し、ＣＣＤケーブルと回路基板との接続部の強度の向上を図ると、接続部のコンパクト化を図ることが困難となる。 
そこで、上記問題点に鑑み、ＣＣＤケーブル接続部の接続強度の向上を図ることのできる内視鏡装置について説明する。
【００８３】
図７乃至図９は、ＣＣＤケーブル接続部の接続強度の向上を図ることのできる内視鏡装置の第１の実施の形態を示し、図７は固体撮像装置の要部断面図、図８は図７における回路基板近傍の底面図、図９はケーブル保持部材の展開図、である。
【００８４】
図７において、符号６０は固体撮像装置を示し、この固体撮像装置６０は、先端部に設けられたＣＣＤホルダ６１ｄを介して対物光学系ユニット６９に外嵌されている。ここで、ＣＣＤホルダ６１ｄは、後述する固体撮像素子（以下ＣＣＤと称す）６１が対物光学系ユニット６９に対してピント出しされた状態で、対物光学系ユニット６９に嵌合され、例えばエポキシ系の接着剤を介して固定されている。
【００８５】
上記ＣＣＤホルダ６１ｄの内周にはカバーガラス６１ｃが嵌合固定され、このカバーガラス６１ｃの基端面には上記ＣＣＤ６１が貼付されている。
【００８６】
上記ＣＣＤ６１には、リード６１ａと６１ｂが設けられ、これらは内視鏡の基端側に延出されている。
【００８７】
上記リード６１ａには、ＣＣＤケーブル６５を構成する信号線６５ｂがハンダ等で接続されており、ＣＣＤ６１を駆動する信号が伝送される。
【００８８】
一方、リード６１ｂには、回路基板６２がハンダ等で接続固定されている。
【００８９】
上記回路基板６２上には、ＣＣＤ６１からの出力信号を増幅するためのＩＣ６３や、他の電子部品６４が実装されている。さらに、回路基板６２上には図示しないランドが設けられており、上記ＣＣＤケーブル６５を構成する他の信号線６５ａがランドを介して接続されている。例えば信号線６５ａは、ＣＣＤ６１からの出力信号をビデオプロセッサ５に伝送する。
【００９０】
ここで、上記ＣＣＤケーブル６５は、各信号線の接続強度を向上するため、ケーブル保持部材６６を介して回路基板６２に固定されている。
【００９１】
詳しく説明すると、図９に示すように、上記ケーブル保持部材６６は、回路基板６２の左右側部に狭着可能な基板保持部６６ａと、ＣＣＤケーブル６５に巻着可能なケーブル保持部６６ｂと、を備えた平板部材で構成されている。
【００９２】
このケーブル保持部材６６は、図７，８に示すように、回路基板６２とＣＣＤケーブル６５との間に介装され、基板保持部６６ａが回路基板６２側に折り曲げられて回路基板６２の左右側部を狭着するとともに、ケーブル保持部６６ｂがＣＣＤケーブル６５側に折り曲げられてＣＣＤケーブル６５を巻着することによって、ＣＣＤケーブル６５を回路基板６２に固定する。
【００９３】
また、上記ＣＣＤ６１や回路基板６２周辺の電装部の外周には、シールド部材６７が設けられ、このシールド部材６７の外周には被覆部材６８設けられている。
【００９４】
このような実施の形態によれば、ケーブル保持部材６６を介してＣＣＤケーブル６５を回路基板６２に固定したので、ＣＣＤケーブル６５の固定強度を向上させることが出来る。従って、内視鏡湾曲時等にかかる各信号線の動きを規制することが出来、ＣＣＤケーブル６５の断線を低減することが出来る。
【００９５】
次に、図１０は、ＣＣＤケーブル接続部の接続強度の向上を図ることのできる内視鏡装置の第２の実施の形態を示し、図１０は固体撮像装置の要部断面図である。
【００９６】
図１０において、符号７０は固体撮像装置を示し、この固体撮像装置７０は、先端部に設けられたＣＣＤホルダ７９を介して対物光学系ユニット７１に外嵌されている。ここで、ＣＣＤホルダ７９は、後述する固体撮像素子（以下ＣＣＤと称す）７２が対物光学系ユニット７１に対してピント出しされた状態で、対物光学系ユニット７１に嵌合され、例えばエポキシ系の接着剤を介して固定されている。
【００９７】
上記ＣＣＤホルダ７９の内周にはカバーガラス７８が嵌合固定され、このカバーガラス７８の基端面には上記ＣＣＤ７２が貼付されている。
【００９８】
上記ＣＣＤ７２には、リード７２ａと７２ｂが設けられ、これらは内視鏡の基端側に延出されている。
【００９９】
上記リード７２ａには、ＣＣＤケーブル７４を構成する信号線７４ａがハンダ等で接続されており、信号線７４ａにより例えばＣＣＤ７２を駆動する信号が伝達される。
【０１００】
一方、上記リード７２ｂは例えばＣＣＤ７２からの出力信号が伝送されるものであり、リード７２ｂには、上記ＣＣＤ７２からの出力信号を増幅するＩＣを実装した回路基板７３がハンダ等で接続固定されている。
【０１０１】
上記回路基板７３上には、図示しないランドが設けられており、上記ＣＣＤケーブル７４を構成する他の信号線７４ｂがランド上に接続されている。
【０１０２】
上記ＣＣＤホルダ７９の基端側には、シールド部材７５が外嵌されている。詳しく説明すると、このシールド部材７５は、ノイズの不要輻射を抑制すべく主としてＣＣＤ７２と回路基板７３の外周を覆うもので、底部にケーブル挿通孔７５ａを備えた略円筒形状の部材に形成されている。そして、上記シールド部材７５は、開放端側がＣＣＤホルダ７９の基端側に嵌合されることによって保持されている。
【０１０３】
また、上記ケーブル挿通孔７５ａにはＣＣＤケーブル７４が挿通され、ＣＣＤケーブル７４は、ＣＣＤホルダ内部で、リング状の固定部材７６によって強くかしめられて抜け止めが行われている。
【０１０４】
さらに、上記ＣＣＤケーブル７４は、固定材７７を介してシールド部材７５に固定されている。固定部材７７は例えばエポキシ系の接着剤等で構成される。
【０１０５】
このような実施の形態によれば、ＣＣＤケーブル７４はシールド部材７５内で固定部材７６により強くカシメられ、かつ固定材７７にて固定されているので、ＣＣＤケーブル７４に基端側への引っ張り等の力がかかってもこの固定部材７６で力が吸収され、シールド部材７５内の信号線７４ａ，７４ｂにはストレスがかかることがないので、信号線の断線を低減することが出来る。
【０１０６】
次に、図１１は、ＣＣＤケーブル接続部の接続強度の向上を図ることのできる内視鏡装置の第３の実施の形態を示し、図１１は固体撮像装置の要部断面図である。
【０１０７】
図中符号１２Ｂは、内視鏡装置を構成する電子内視鏡の先端部を示す。この先端部１２Ｂは、対物光学系ユニット８１と、この対物光学系ユニット８１の後方に配置された固体撮像装置８０とを備えて構成されている。
【０１０８】
上記対物光学系ユニット８１は、先端部１２Ｂの先端側に配設された先端枠８９に嵌合保持されている。
【０１０９】
また、上記対物光学系ユニット８１の基端側にはＣＣＤホルダ８４が外嵌され、このＣＣＤホルダ８４を介して上記固体撮像装置８０が保持されている。ここで、固体撮像装置８０は、後述する固体撮像素子（以下ＣＣＤと称す）８２が対物光学系ユニット８１との間でピント出しされた状態で保持されている。
【０１１０】
具体的には、上記ＣＣＤホルダ８４の内周には、カバーガラス８３が嵌合保持され、このカバーガラス８３の基端面には、上記ＣＣＤ８２が貼着されている。
【０１１１】
また、上記ＣＣＤ８２は基端側にリード８２ａとリード８２ｂとを有し、リード８２ａには、ＣＣＤケーブル８７を構成する信号線８７ａの一部が接続され、一方、上記リード８２ｂには回路基板８５を介して他の信号線８７ａが接続されている。
【０１１２】
また、上記ＣＣＤホルダ８４の基端側には、不要ノイズの輻射を抑制すべくシールド部材８６が外嵌され、このシールド部材８６は主としてＣＣＤ８２と回路基板８５の外周を覆っている。
【０１１３】
また、上記先端枠８９には、ケーブル固定部材９０が取り付けられ、内視鏡基端部に向かって延出している。ここで、このケーブル固定部材９０は、所定の曲率を有した板状、或いは曲率を有さない板状の部材で構成されている。なお、このケーブル固定部材９０は先端枠８９内に接着剤で固定されてもよいし、図示しないネジ等で固定されても良い。
【０１１４】
また、上記ＣＣＤケーブル８７には、リング状に形成された固定部材８８が設けられ、この固定部材８８は前記ケーブル固定部材９０に固定されている。
【０１１５】
また、上記先端枠８９の基端側には、湾曲管（図示せず）を構成する湾曲第１コマ９２が外嵌固定されている。ここで、上記固定部材８８とケーブル固定部材９０との接続部９１は、湾曲第１コマ９２の先端部内に収まるように構成されている。
【０１１６】
このような実施の形態によれば、ＣＣＤケーブル８７を確実に固定でき、断線等を防ぐことが出来る。
【０１１７】
なお、このような実施の形態において、ＣＣＤケーブル８７と回路基板８５との間に仲介用の基板を設けてもよい。この基板には、例えばポリイミドを基材としたフレキシブル基板が用いられる。
【０１１８】
すなわち、一般に、ＣＣＤ８２や回路基板８５等からなる撮像ユニットには、ＣＣＤ８２や回路基板８５等にケーブルの各信号線が接続され、その外周はシールド部材８６で覆われ、シールド部材８６内は接着剤で固められるものであるため、ケーブルの断線等が発生して固体撮像装置の修理（例えばケーブルの交換）を行う場合にはこの接着剤を取り除く作業が発生する。この作業はかなりの時間を要するものであるが、ＣＣＤケーブル８７と回路基板８５とをフレキシブル基板を介して接続することにより、修理作業は接着剤を取り除く作業を行うことなくフレキシブル基板上で行うのみで済み、作業工数を最小限に抑えることができる。換言すれば、前記固体撮像装置８０内に設けた回路基板８５とＣＣＤケーブル８７とを、フレキシブル基板等で仲介する構成にすることにより、固体撮像装置８０やＣＣＤケーブル８７に不具合が発生しても、フレキシブル基板とＣＣＤケーブル８７を切り離すことで最小限の修理に留めることが出来、内視鏡の修理性が向上する。
【０１１９】
次に、図１２は、ＣＣＤケーブル接続部の接続強度の向上を図ることのできる内視鏡装置の第４の実施の形態を示し、図１２は固体撮像装置９５の要部断面図である。なお、この実施の形態において、上述のＣＣＤケーブル接続部の接続強度の向上を行うことのできる内視鏡装置の第３の実施の形態と同様の部材については、同符号を付して説明を省略する。
【０１２０】
ＣＣＤ９６の基端側にはリード９６ａが延出されており、このリード９６ａには回路基板９７が接続固定されている。
【０１２１】
上記回路基板９７には、図示しないランドが設けられ、このランドにＣＣＤケーブル９８が接続されている。すなわち、上記ＣＣＤケーブル９８を構成する信号線９８ａはＣＣＤケーブル９８の先端から延出され、この延出された複数の信号線９８ａが上記回路基板９７に設けられたランドに接続されている。
【０１２２】
また、上記ＣＣＤケーブル９８から延出された複数の信号線９８ａにはこれらを束ねて被覆する被覆部材１００が設けられ、さらに、この被覆部材１００の外周には固定部材１０１によりカシメられている。そして、上記ＣＣＤケーブル９８の先端側は、固定部材１０１が例えばロウ１０２によって湾曲第１コマ９２に接合されることによって固定されている。
【０１２３】
ここで、上記固定部材１０１は、湾曲第１コマ９２内部で固定されるものである。また、図示しないが湾曲管全域の範囲において、ケーブルの最外周のシースを剥離し、信号線群を湾曲管内に配置させても良い。
【０１２４】
このような実施の形態によれば、信号線９８ａは固定部材１０１で固定されているので湾曲操作を行っても固定部材１Ｏ１よりも先端にはストレスがかからない。したがって信号線９８ａにもストレスがかかることはなく断線を防ぐことが出来る。
【０１２５】
次に、図１３乃至図１６は、ＣＣＤケーブル接続部の接続強度の向上を図ることのできる内視鏡装置の第５の実施の形態を示し、図１３は固体撮像装置の要部を示す断面図、図１４は図１３のＡ−Ａ断面図、図１５は回路基板を斜め上方から見た斜視図、図１６は回路基板を斜め下方から見た斜視図、である。
【０１２６】
図１３において、符号１１０は電子内視鏡の固体撮像装置を示し、この固体撮像装置１１０は、固体撮像素子（以下ＣＣＤと称す）１１１と、このＣＣＤ１１１の前面に貼付されたカバーガラス１１２と、一対の回路基板１１６，１１７と、を備えて構成されている。
【０１２７】
また、上記ＣＣＤ１１１の上下側面には、銅箔からなるパターン１１３ａがポリイミド基材１１３ｂに配置されて構成されたた回路基板（ＴＡＢ基板）１１３がＣＣＤ１１１を挟むように設けられている。このパターン１１３ａは、例えば図示しないバンプを介してＣＣＤ１１１に接続されており、その端部はＣＣＤ１１１の後方に延出されている。
【０１２８】
図１５，１６に示すように、上記回路基板１１６は略矩形に形成され、この回路基板１１６の上面には上記パターン１１３ａに対応するランド１２２が設けられている。また、上記回路基板１１６の下面には、ＣＣＤ１１１からの出力信号を増幅するＩＣ１１８や電子部品１１９が実装されている。
【０１２９】
また、上記回路基板１１６の前端面にはケーブル接続用のランド１２１が設けられている。ここで、上記ランド１２１は、回路基板１１６の前端面に設けられたサイドスルーホールに銅箔が設けられ、その上にハンダメッキが施された構成となっている。
【０１３０】
また、上記回路基板１１７は、上記回路基板１１６と略同様の構成をなし、上面に電子部品１１９が実装され、下面にパターン１１３ａに対応するランド１２２が設けられているとともに、前端面にケーブル接続用のランド１２１が設けられて構成されている。
【０１３１】
これら回路基板１１６，１１７は、図１４に示すように、ランド１２２が外部に露呈された状態で互いに平行に配設され、これら回路基板１１６，１１７の間隙にはＣＣＤケーブル１１５の先端部が挟持されている。このとき、上記ＣＣＤケーブル１１５は、電子部品１１９の間に配設された状態で回路基板１１６，１１７に挟持されている。
【０１３２】
また、上記ＣＣＤケーブル１１５の先端部には、該ＣＣＤケーブル１１５を構成する信号線１１５ａ，１１５ｂの端部が延出され、これら延出された信号線１１５ａ，１１５ｂは、上記回路基板１１６，１１７に設けられたランド１２１にはんだ付け等によってそれぞれ接続されている（図１３参照）。
【０１３３】
このような、回路基板１１６，１１７がＣＣＤケーブル１１５を挟持してなるユニットは、パターン１１３ａとランド１２２とが摺動されながらパターン１１３ａの間隙に嵌入されて、ＣＣＤ１１１との接続が実現すると共に、ＣＣＤ１１１の後方で保持される。
【０１３４】
さらに、ＣＣＤ１１１から回路基板１１６，１１７にかけての間隙には、例えばエポキシ系の接着剤で構成される充填材１２０が充填されている。
【０１３５】
このような実施の形態によれば、ＣＣＤケーブル１１５は回路基板１１６，１１７で挟持されているので、ＣＣＤケーブル１１５の接続部の強度が向上する。  また、ＣＣＤケーブル１１５を回路基板１１６，１１７で挟持し、ＣＣＤケーブル１１５と回路基板１１６，１１７とを回路基板１１６，１１７の前端部で接続したことにより、接続部の長さを短縮でき、固体撮像装置１１０の硬質長を短縮することができる。
【０１３６】
また、電子部品１１９でＣＣＤケーブル１１５の間に配置することで、ＣＣＤケーブル１１５の固定を確実に行うことが出来る。
【０１３７】
ところで、電子内視鏡を備えた内視鏡装置において、固体撮像素子と、この固体撮像素子からの信号を増幅するＩＣ等が搭載された回路基板との接続は、一般に、はんだ付けにより行われていた。
【０１３８】
しかしながら、このように固体撮像素子と回路基板とをはんだ付けにより接続することは、組立作業や修理作業を行う際の作業工数を増加させることとなる。そこで、上記問題点に鑑み、固体撮像素子と回路基板との組立性を向上することのできる内視鏡装置の実施の形態について説明する。
【０１３９】
図１７，図１８は固体撮像素子と回路基板との組立性を向上することのできる内視鏡装置の一実施の形態に係わり、図１７は固体撮像素子と回路基板とを分解して示す側面図、図１８は固体撮像素子と回路基板とが接続された状態を示す側面図、である。
【０１４０】
図１７，図１８において、符号１０５は固体撮像素子（以下ＣＣＤと称す）を示し、符号１０６は回路基板を示す。
【０１４１】
上記ＣＣＤ１０５は、所定の弾性を有する部材で構成された複数のリード１０５ａを備えて構成されている。これらリード１０５ａは、ＣＣＤ１０５の基端面に２列に並べて配設され、これにより、ＣＣＤ１０５の基端面には互いに対向するリード列１０３が形成されている。
【０１４２】
また、上記回路基板１０６は両面に図示しない導体パターンを有して構成され、この回路基板１０６上には、ＣＣＤ１０５からの信号を増幅するＩＣ１０８や他の電子部品１０９等が搭載されている。
【０１４３】
また、上記回路基板１０６上には、ケーブル接続用のランド（図示せず）が設けられ、このランドには、ＣＣＤケーブル１０７から延出された複数の信号線１０７ａがはんだ付け等によって接続されている。
【０１４４】
また、上記回路基板１０６の先端側両面には、ＣＣＤ１０５のリード１０５ａに対応するランド１０６ａが設けられている。
【０１４５】
ここで、リード１０５ａが配列されてなる上記リード列１０３の間隙は、回路基板１０６の基板圧よりも小さく設定されている。
【０１４６】
このようなＣＣＤ１０５と回路基板１０６との接続保持は、先ず、リード列１０３が互いに外方に広げられた（図１７参照）リード列１０３の間隙に回路基板１０６の先端部が挿入され、リード１０５ａとランド１０６ａとのそれぞれの位置合わせが行われた後、リード１０５ａの弾性を利用してリード列１０３を閉じることにより行われる。
【０１４７】
このような実施の形態によれば、ハンダ付けを行わなくてもリード１０５ａとランド１０６ａとの接続が行われるので、組み立てが容易である。
【０１４８】
また、ＣＣＤケーブル１０７断線の不具合が生じても、回路基板１０６をＣＣＤ１０５から引き抜いて修理、交換が出来ることにより、高価なＣＣＤ１０５に影響を与えることなくＣＣＤケーブルの修理を行うことができる。
【０１４９】
また、固体撮像装置に曲げのストレスがかかっても、リード１０５ａの弾性を利用してストレスを吸収する事が出来るので、ＣＣＤケーブル１０７の接続部にストレスがかかる事がなく断線を防止することが出来る。
【０１５０】
ところで、先端部に固体撮像素子が配設された電子内視鏡において、固体撮像装置は、固体撮像素子と、電子部品が実装された回路基板とを有して構成され、上記固体撮像素子は、回路基板を介してＣＣＤケーブルに接続され、このＣＣＤケーブルを介して、制御装置との信号の授受が行われる。このような場合、上記固体撮像素子、回路基板、及び、ＣＣＤケーブルは、挿入部の長手方向に沿ってシリアルに配置され、接続されている。
【０１５１】
しかしながら、上記各部材を挿入部の長手方向に沿ってシリアルに接続した場合、先端部の長さを長大化させてしまう。 
そこで、上記問題点に鑑み、先端部の長さを短くすることのできる内視鏡装置について説明する。
【０１５２】
図１９乃至図２２は先端部の長さを短くすることのできる内視鏡装置の一実施の形態に係わり、図１９は固体撮像装置の要部を分解して示す断面図、図２０は固体撮像装置の要部断面図、図２１は他の接点構成を示す説明図、図２２は更なる他の接点構成を示す説明図、である。
【０１５３】
図２０において、符号１２５は電子内視鏡の固体撮像装置を示し、この固体撮像装置１２５は、固体撮像素子（以下ＣＣＤと称す）１２６と、このＣＣＤ１２６の後方に配設されたＣＣＤ保持基板１２７と、を備えて構成され、上記ＣＣＤ保持基板１２７にはＣＣＤケーブル１３２が接続されている。
【０１５４】
具体的に説明すると、上記ＣＣＤ１２６は、基端面にリード１２６ａを備えて構成され、このリード１２６ａは後方に延出されている。
【０１５５】
また、上記ＣＣＤ保持基板１２７は、後方が開放された短筒状の部材で構成され、その内周には、銅箔を素材としたパターン１２８が設けられている。また、上記ＣＣＤ保持基板１２７の先端面には、リード１２６ａを挿入可能なリード挿入孔１２９が設けられている。一方、上記ＣＣＤ保持基板１２７の短筒内部は、ＣＣＤケーブル１３２の先端部が挿入可能なケーブル固定部１３０として形成されている。
【０１５６】
ここで、上記ＣＣＤ１２６は、リード１２６ａがＣＣＤ保持基板１２７のリード挿入孔１２９に挿入されてパターン１２８にはんだ付けされることによって、ＣＣＤ保持基板１２７に保持されている。
【０１５７】
また、上記ＣＣＤケーブル１３２は、外皮１３２ａの内周に沿って配列された複数の単純信号線１３３を備えて構成されている（図１９ａ参照）。また、上記単純信号線１３３の先端には、信号線芯線１３３ａと接続された導電ピン１３４が設けられ、この導電ピン１３４の先端部はＣＣＤケーブル１３２の外皮１３２ａから突出するように配置されている。
【０１５８】
ここで、外皮１３２ａから突出された導電ピン１３４とＣＣＤ保持基板１２７の内周に設けられたパターン１２８とは、それぞれ対応する位置１３６に設けられている。
【０１５９】
上記ＣＣＤケーブル１３２は、導電ピン１３４とパターン１２８との位置合わせが行われた状態で、ＣＣＤケーブル１３２の先端部がケーブル固定部１３０に挿入されることによって、ＣＣＤ１２６と電気的に接続される。この際、上記ＣＣＤ保持基板１２７とＣＣＤケーブル１３２との間には導電ピン１３４とリード１２６ａとのショートを防止するための絶縁部材１３１が介装される。
【０１６０】
ここで、図２１に示すように、ＣＣＤ１２６とＣＣＤケーブル１３２との接続は、ＣＣＤ固定基板１２７に設けたパターン１２８に代えて、ＣＣＤ固定基板１２７の外周面にパターン１３９を設け、ＣＣＤ固定基板１２７の基端部から前方に屈曲させた導電ピン１３４をパターン１２８にハンダ固定部１４１にて接続固定する構成としてもよい。
【０１６１】
また、図２２に示すように、固体撮像装置１２５と接続されるＣＣＤケーブル１３２が同軸信号線１４４を有して構成される場合には、この同軸信号線１４４の芯線１４４ａに接続される導電ピン１４２の中途に、同軸信号線１４４のシールド部材１４４ｂと導電ピン１４２とのショートを防止するための絶縁部１４３を設ける構成とする。
【０１６２】
このような実施の形態によれば、ＣＣＤとＣＣＤケーブルとの接続は、ＣＣＤケーブルの外周に突出された導電ピンとＣＣＤ保持基板に設けられたパターンとをＣＣＤケーブルの先端側側方で接続することによって行われるため、硬質長を短縮する事ができる。
【０１６３】
また、ＣＣＤ１２６とＣＣＤケーブル１３２とを接続する前に、それぞれのユニットを組み立てればよいため、固体撮像装置１２５全体の組立性を向上することができる。
【０１６４】
ところで、一般に、図２３（ａ）に示すようなカニューラ等の処置具を挿通自在な電子内視鏡の先端部１５０においては、図２３（ｂ）に示すように、処置具を挿通自在な処置具チャンネル１５４が固体撮像素子（以下ＣＣＤと称す）１５１と隣接して設けられている。ここで、図中符号１５２はＣＣＤ１５１における撮像可能な受光部であり、符号１５３はＣＣＤ１５１の遮光部（ＯＢ部：オプティカルブラック部）である。
【０１６５】
しかしながら、このような電子内視鏡において、カニューラ等の金属製の反射率の高い処置具を処置具チャンネル１５４に挿入した場合、先端部１５０では、図示しない照明窓から照射される照明光の一部が、処置具に反射されてＣＣＤ１５１に入射され、撮像された画像上にフレア等の不具合が発生することがあった。これに対処してＣＣＤ１５１と処置具チャンネル１５４との距離を離間させると、上記問題は解消されるものの、内視鏡の先端部を太径化させる原因となる。そこで、上記事情に鑑み、先端部を太径化させることなくフレア等の不具合を低減することのできる内視鏡装置について説明する。
【０１６６】
図２４は内視鏡の先端部を太径化させることなくフレア等の不具合を低減することのできる内視鏡装置の一実施の形態を示し、図２４（ａ）は上部消化管用の電子内視鏡の先端部の要部を示すレイアウト図、図２４（ｂ）は図２４（ａ）で示す電子内視鏡で撮像された画像の一例を示す説明図、図２４（ｃ）は下部消化管用の電子内視鏡の先端部の要部を示すレイアウト図、図２４（ｄ）は図２４（ｃ）で示す電子内視鏡で撮像された画像の一例を示す説明図、である。
【０１６７】
図２４（ａ）において、符号１５０は電子内視鏡の先端部を示し、この先端部１５０は、撮像可能な受光部１５２の一側に遮光部１５３が設けられたＣＣＤ１５１と、このＣＣＤ１５１に隣接され、図示しない処置具を挿通可能な処置具チャンネル１５４とを備えて構成されている。
【０１６８】
上記ＣＣＤ１５１は、処置具チャンネル１５４寄りに配設された遮光部１５３と、この遮光部１５３に隣接された受光部１５２とを備えて構成されている。
【０１６９】
このような電子内視鏡を備えた内視鏡装置において、使用時には、処置具チャンネル１５４内に金属製の反射率の高い処置具１５５が挿入され、内視鏡先端部１５０から突出する。その際、図示しない照明窓からの照明光が処置具に照射され、この照射光の一部は先端部１５０に向かって反射される。
【０１７０】
その際、遮光部１５３が受光部１５２と処置具チャンネル１５４との間に介在することにより、受光部１５２は遮光部１５３の幅分だけ処置具チャンネル１５４より遠方に位置させることができ、これにより多量の不要光が受光部１５２に入ることを防止できるので、フレア等の不具合を低減することが出来る（図２４（ｂ）参照）。従って、先端部を太径化させることなくフレア等の不具合を低減することができる。
【０１７１】
なお、図２４（ｃ）（ｄ）に示すように、下部消化管用の電子内視鏡の先端部においても、上述の上部消化管用の電子内視鏡の先端部と同様のレイアウトとすることにより、同様の作用効果を得ることができる。
【０１７２】
ところで、一般に、従来の内視鏡は、ユニバーサルコードを光源に接続する必要があるので持ち運びが不便であった。これに対処するものとして、例えば、特願平８−２８０６１２号公報に開示された技術がある。
【０１７３】
しかしながら、上記先行技術においては、ランプ（照明光供給ユニット）を内視鏡操作部に着脱自在に構成したので、ユニットを取り外した際に不用意に扱い、ランプを破損させてしまう虞がある。すなわち、照明光供給ユニットを着脱する際には、操作部から引き抜く行為等が行われて大きなストレスがかかり、この際、作業者等が不用意にランプに接触してランプを破損させる等の虞があった。そこで、ランプの破損を防止することのできる内視鏡装置について説明する。
【０１７４】
図２５は、ランプの破損を防止することのできる内視鏡装置の一実施の形態に係わり、内視鏡の操作部近傍の説明図である。
【０１７５】
内視鏡１６０の操作部１６１内部には、照明ランプ１５６が設けられている。この照明ランプ１５６にはリード１６３が設けられ、このリード１６３は操作部１６１の側部まで延出されている。
【０１７６】
また、上記操作部１６１の側部には、図示しない電源から導出された電源供給ユニット１５８が、操作部１６１に着脱自在に設けられている。具体的には、上記電源供給ユニット１５８の先端部には、ソケット１６２が設けられており、このソケット１６２とリード１６３とが着脱自在に接続される構成となっている。
【０１７７】
また、上記操作部１６１内には、照明ランプ１５６から出射される照明光を内視鏡１６０の先端部側に反射する反射鏡１５７が設けられている。そして照明ランプ１５６から出射された光は反射鏡１５７により反射されてライトガイドファイバー１５９に入射し、内視鏡１６０の先端から光を照射するようになっている。
【０１７８】
このような実施の形態によれば、電源供給ユニットを操作部に対して着脱自在にしたので、内視鏡の持ち運びが容易なものとなる。
【０１７９】
また、ランプを操作部内に設けたことにより、電源供給ユニットを着脱する際にランプを不用意に破損することを低減できる。
【０１８０】
ところで、従来、電子内視鏡においては、同一の内視鏡で同時に異なる複数の撮像画像を得るために先端部に複数の対物光学系を有するものがある。このような場合、電子内視鏡は、一般に、異なる複数の固体撮像素子を有し、これらの固体撮像素子がそれぞれ異なる対物光学系に結像されるようになっている。
【０１８１】
しかしながら、このように、同一の電子内視鏡に複数の固体撮像素子を設けた場合、挿入部の外径が太径化する傾向にある。 
そこで、上記事情に鑑み、単一の固体撮像素子を用いて同時に複数の観察手段を構成することのできる内視鏡装置について説明する。
【０１８２】
図２６，図２７は単一の固体撮像素子を用いて同時に複数の観察手段２を構成することのできる内視鏡装置の第１の実施の形態に係わり、図２６は電子内視鏡の先端部の要部断面図、図２７はモニター上の画像の説明図、である。
【０１８３】
図２６において符号１６５は、内視鏡装置を構成する電子内視鏡の先端部を示す。この先端部１６５には、単一の固体撮像素子（以下ＣＣＤと称す）１６６が設けられ、このＣＣＤ１６６の先端側には対物レンズ群１６７が設けられている。
【０１８４】
また、上記電子内視鏡の先端部１６５の先端部端面には、内視鏡長手方向に対して異なる方向に傾斜された２つの傾斜面が設けられ、その一方の傾斜面に第１の観察窓１７１が配置されるとともに、他方の傾斜面に第２の観察窓ｌ７２が配置されている。
【０１８５】
また、上記第１の観察窓１７１の後方には第ｌの液晶シャッタ１６９が設けられ、一方、上記第２の観察窓１７２には第２の液晶シャッタ１７０が設けられている。
【０１８６】
ここで、上記第１，第２の液晶シャッタ１６９，１７０は、図示しないプロセッサ処理系に、図示しない信号線を介してそれぞれ接続され、このプロセッサ処理系によって、第１，第２の観察窓からの入射光が透過，遮断制御されるようになっている。
【０１８７】
上記第１，第２の液晶シャッタ１６９，１７０の後方には、プリズム１６８が設けられている。このプリズム１６８は、一方の入射面が第１の液晶シャッタ１６９に連設され、第２の入射面が第２の液晶シャッタ１７０に連設されるとともに、これらの入射面から入射された光の出射面が上記対物レンズ群１６７の先端側に対向される位置に配設されている。
【０１８８】
すなわち、上記第１の観察窓１７１から入射された光は、第１の液晶シャッタ１６９、プリズム１６８を経て対物レンズ群１６７に入射されてＣＣＤ１６６に結像されるようになっている。また、上記第２の観察窓１７２から入射された光は、第２の液晶シャッタ１７０、プリズム１６８を経て対物レンズ群１６７に入射されてＣＣＤ１６６に結像されるようになっている。換言すれば、第１の観察窓１７１，第１の液晶シャッタ１６９，プリズム１６８，対物レンズ群１６７，ＣＣＤ１６６によって観察手段が構成されるとともに、第２の観察窓１７２，第２の液晶シャッタ１７０，プリズム１６８，対物レンズ群１６７，ＣＣＤ１６６によって他の観察手段が構成されている。
【０１８９】
また、上記第１の観察窓１７１の近傍には、第１の観察窓１７１で観察する被写体に照明光を照射するための照明窓１７４が設けられ、さらにこの照明窓１７４の後方には照明窓１７４を構成するレンズに連続した第１のライトガイド１７５が設けられている。同様に、上記第２の観察窓１７２の近傍には、第２の照明窓１７６が設けられ、この第２の照明窓１７６に連続して第２のライトガイド１７７が設けられている。
【０１９０】
上記ＣＣＤ１６６の基端側には、ＣＣＤリード１６６ａ、１６６ｂが設けられている。これらＣＣＤリード１６６ａ，１６６ｂにはＣＣＤケーブル１７３を構成する信号線１７３ａ，１７３ｂがそれぞれ接続されている。ここで信号線１７３ａ，１７３ｂはＣＣＤ１６６からの出力信号を伝送する信号線であり、信号線１７３ａはＣＣＤ１６６から出力されるフィールド信号のうち偶数ラインの信号を伝送し、信号線１７３ｂはＣＣＤ１６６から出力されるフィールド信号のうち奇数ラインの信号を伝送するようになっている。
【０１９１】
これらの信号線１７３ａ，１７３ｂは、図示しないプロセッサ処理系を介してモニタ１７８に接続されている。このモニタ１７８は、異なる２つの画像を同時に表示可能なモニタに構成され、一方の画面１７８ａに信号線１７３ａから伝送される画像信号に基づく画像が表示されるとともに、他方の画面１７８ｂに信号線１７３ｂから伝送される画像信号に基づく画像が表示されるようになっている。
【０１９２】
すなわち、第１の液晶レンズ１６９は、信号線１７３ａの出力信号の伝送と同期して、対物レンズ系１６７に光を透過する状態と、信号線１７３ｂの出力信号に同期して、対物レンズ系１６７への光を遮断する状態が作り出されている。一方、第２の液晶シャッタ１７０は、信号線１７３ａの出力信号の伝送に同期して対物レンズ系１６７への光を遮断する状態と、信号線１７３ｂの出力信号の伝送に同期して対物レンズ系１６７に光を透過する状態が作り出されている。
【０１９３】
具体的には、上記第１，第２の液晶シャッタ１６９，１７０は、ＣＣＤ１６６からの出力信号に同期して、第１，第２の観察窓１７１，１７２から入射される光線を遮光、透過させる機能を有し、通常、ＣＣＤ１６６からの出力信号をプロセッサ処理系を通してモニタ１７８に出力する場合、モニター上の奇数ラインの走査線を１／３０ＳＥＣで走査し（第１のフィールド信号）、その次の１／３０ＳＥＣ（第２のフィールド信号）で偶数ラインを走査し、計１／６０ＳＥＣで１枚の画像が構成される。
【０１９４】
この様な構成により、単一の対物レンズ系１６７を用いて、２つの観察光学系を構成するとともに、単一のＣＣＤ１６６を用いて、２つの観察光学系からの画像をモニタ１７８に表示することが出来る。
【０１９５】
このような実施の形態によれば、異なる２つの視野を、単一の対物レンズ系及びＣＣＤを用いて同時に観察でき、先端部の細径化が可能となる。
【０１９６】
また、第１，第２の観察窓から入射される入射光の透過，遮断制御は、液晶シャッタによるものであるため、メカ式のシャッタ機構が不要となり、先端部の小型化を図る事が出来る。
【０１９７】
次に、図２８，図２９は、単一の固体撮像素子を用いて同時に複数の観察手段を構成することのできる内視鏡装置の第２の実施の形態に係わり、図２８は電子内視鏡の先端部の要部断面図、図２９はモニター上の画像の説明図、である。
【０１９８】
図２８において符号１８０は、内視鏡装置を構成する電子内視鏡の先端部を示す。この先端部１８０には、固体撮像素子（以下ＣＣＤと称す）１８１が設けられ、このＣＣＤ１８１の先端側には対物レンズユニット１８２が設けられている。
【０１９９】
上記対物レンズユニット１８２は、対物レンズ枠１８３を備え、この対物レンズ枠１８３に対物レンズ群１８４が設けられるとともに、対物レンズ群１８４の直後に液晶レンズ１８５が設けられて要部が構成されている。
【０２００】
ここで、上記液晶レンズ１８５は、図示しないプロセッサ処理系に、図示しない信号線を介してそれぞれ接続され、このプロセッサ処理系によって、通常観察と拡大観察の２モードが選定可能となるように液晶が動作する。すなわち、液晶レンズ１８５により、対物光学系の光路長の変化、観察深度の変化が可能となる。
【０２０１】
また、ＣＣＤ１８１の基端側には、第１のリード１８１ａ、第２のリード１８１ｂが延出されている。上記第１のリード１８１ａにはＣＣＤケーブル１８６を構成する第１の信号線１８６ａが接続され、上記第２のリード１８１ｂにはＣＣＤケーブル１８６を構成する第２の信号線１８６ｂが接続されている。ここで、信号線１８６ａは、ＣＣＤ１８１から出力される出力信号のフィールド信号のうち、奇数ラインを伝送するものであり、信号線１８６ｂは、偶数ラインを伝送する信号線である。
【０２０２】
これらの信号線１８６ａ，１８６ｂは、図示しないプロセッサ処理系を介してモニタ１８７に接続されている。このモニタ１８７は、異なる２つの画像を同時に表示可能なモニタに構成され、一方の画面１８８に信号線１８６ａから伝送される画像信号に基づく画像が表示されるとともに、他方の画面１８９に信号線１８６ｂから伝送される画像信号に基づく画像が表示されるようになっている。
【０２０３】
すなわち、上記液晶レンズ１８５は、上記プロセッサ処理系によって動作され、信号線１８６ａからＣＣＤ出力信号を伝送するのに同期して通常観察が行われる一方、信号線１８６ｂからＣＣＤ出力信号を伝送するのに同期して拡大観察が行われるよういに設定される。
【０２０４】
このような実施の形態によれば、液晶レンズを用いた為、メカ式のズーム機構が不要となり、硬質長の短縮化を図る事が出来る。
【０２０５】
また、モニター上では、通常観察画面の一部を常に拡大しているため、診断が迅速に行える。
【０２０６】
［付記］
（付記２−１）
入射光を透過，遮断可能な第１の液晶シャッタと第２の液晶シャッタをそれぞれ備えた２つの対物光学系と、１つの固体撮像素子とを有し、前記２つの対物光学系がいずれも前記固体撮像素子に結像するように構成した内視鏡装置であって、前記固体撮像素子から出力される第１のフィールド信号と第２のフィールド信号のそれぞれに、前記液晶シャッタの挙動をそれぞれ同期させたことを特徴とする内視鏡装置。
【０２０７】
（付記２−２）
入射光の光路長を少なくとも異なる２つの光路長に可変に設定可能な液晶レンズを備えた対物光学系と、１つの固体撮像素子とを有し、前記対物光学系を透過する２つの異なる光路長の入射光がいずれも前記固体撮像素子に結像するように構成した内視鏡装置であって、前記固体撮像素子から出力される第１のフィールド信号と第２のフィールド信号のそれぞれに、前記液晶レンズの挙動を同期させたことを特徴とする内視鏡装置。
【０２０８】
ところで、内視鏡装置において、一般に、固体撮像装置は、固体撮像素子（以下ＣＣＤと称す）や回路基板等からなる撮像ユニットに、ＣＣＤケーブルの各信号線等が接続され、その外周がシールド部材で覆われて要部が構成される。このような固体撮像装置は、内視鏡装置の用途に応じて様々な規格のものが採用され、従って、様々な規格の固体撮像装置分だけ、これに応じた撮像ユニットを製造する必要があった。
【０２０９】
しかしながら、このように複数種類の規格の撮像ユニットを製造することは製造コストの高騰を招く。 
そこで、上記事情に鑑み、一種類の撮像ユニットで規格が異なる種々の固体撮像装置に対応できる撮像ユニットの提供を目的とする。
【０２１０】
図３０は、一種類の撮像ユニットで規格が異なる種々の固体撮像装置に対応できる撮像ユニットの一実施の形態に係わり、撮像ユニットの要部を示す斜視図である。
【０２１１】
図中符号１９０は内視鏡装置の固体撮像装置内に配設される撮像ユニットを示し、この撮像ユニット１９０は、固体撮像素子（以下ＣＣＤと称す）１９１と、回路基板１９２と、を備えて要部が構成されている。
【０２１２】
上記回路基板１９２は、ポリイミド基材１９７に銅箔１９８を貼付した、例えば、ＴＡＢ構造のフレキシブル基板で構成されている。
【０２１３】
上記回路基板１９２において、回路基板１９２のパターンを構成する銅箔１９８の一部は、上記ポリイミド基材１９７の一側から延出され、上記ＣＣＤ１９１と接続可能なインナーリード１９６として形成されている。
【０２１４】
また、上記回路基板１９２上のインナーリード１９６近傍にはＣＣＤ１９１が配設され、インナーリード１９６とＣＣＤ１９１上に設けられたバンプ１９９とが熱溶着により接続固定されている。
【０２１５】
また、上記回路基板１９２上には、上記インナーリード１９６から延設されたパターン上の中途に信号線（図示せず）と接続可能な主パッド１９３が設けられ、さらに、主パッド１９３から周辺に向かって延設されたパターン上に、上記信号線と接続可能な補助パッド１９４が設けられている。ここで、上記補助パッド１９４は、主パッド１９３よりも大面積に形成されている。
【０２１６】
このように構成された撮像ユニット１９０と信号線（図示せず）との接続は、適用される固体撮像装置の大きさに余裕がある場合や、ケーブルに強度を持たせる必要のある場合には、パッド上での信号線の接続面積を大きくとることの出来る補助パッド１９４を介して行われる。
【０２１７】
一方、上記撮像ユニット１９０と信号線（図示せず）との接続は、固体撮像装置の小型化が必要な場合や、ケーブルの耐性を重要視されない場合には、主パッド１９３を介して行われる。この際、回路基板１９２を主パッド１９３の周辺の切断境界１９５より切断することによって、撮像ユニット１９０を小型化することができる。
【０２１８】
なお、上記実施の形態の説明では、回路基板としてポリイミド基材に銅箔を貼付したＴＡＢテープを用いた例を開示したが、これに限るものではない。
【０２１９】
また、上記回路基板を、例えば、インナーリードを持たないポリイミド基材のフレキシブル基板で構成しても良い。この場合、ＣＣＤのバンプ部との接続は、フレキシブル基板上に設けたパッドとの間で行なわれる。
【０２２０】
また回路基板自体の強度が必要な場合は、セラミックスやガラスエポキシ樹脂のような硬質の基材を使用しても良い。この場合でも、一つの回路基板で複数の固体撮像装置に対応させることが出来る。
【０２２１】
このような実施の形態によれば、単一種類の撮像ユニットにて、複数の固体撮像装置に使用することが出来るので、部品の共通化と共に、原価低減を実現することが出来る。
【０２２２】
［付記］
（付記３−１）
固体撮像素子と回路基板を含む撮像ユニットにおいて、回路基板上に設けた同一回路上の異なる位置に２箇所以上のパッドを設けたことを特徴とする撮像ユニット。
【０２２３】
（付記３−２）
前記パッドは、固体撮像装置に応じて選択的にケーブルが接続されていることを特徴とする付記３−１に記載の撮像ユニット。
【０２２４】
（付記３−３）
前記回路基板は、フレキシブルな基板で構成されることを特徴とする付記３−１、付記３−２に記載の撮像ユニット。
【０２２５】
（付記３−４）
前記フレキシブル基板は、ＴＡＢで構成されることを特徴とする付記３−３に記載の撮像ユニット。
【０２２６】
ところで、従来より、電子内視鏡に用いられる固体撮像装置には、固体撮像素子と生体との間の絶縁を行うための絶縁体が設けられている。この絶縁体には、一般に、セラミック等が多く用いられている。
【０２２７】
しかしながら、セラミック等を用いて絶縁体を構成した場合、電子内視鏡の先端部は、その構造が複雑化するとともに、外径が太径化する傾向にあった。
【０２２８】
そこで、上記事情に鑑み、電子内視鏡の先端部を細径化することのできる内視鏡装置について説明する。
【０２２９】
図３１は、電子内視鏡の先端部を細径化することのできる内視鏡装置の第１の実施の形態に係わり、電子内視鏡の先端部の要部断面図である。
【０２３０】
図中符号３１２は電子内視鏡の先端部を示し、この先端部３１２は、上記対物光学系ユニット３２３と、この対物光学系ユニット３２３の後方に配設された固体撮像装置３２２と、を備えて構成されている。
【０２３１】
上記対物光学系ユニット３２３は、複数のレンズからなる対物レンズ群３２４と、この対物レンズ群３２４を内部に保持する対物レンズ枠３２８と、を備えて構成され、対物レンズ枠３２８が先端枠３３５に嵌合されることによって先端部３１２に保持されている。
【０２３２】
また、上記対物レンズ枠３２８の基端側にはＣＣＤホルダ３２７が外嵌され、このＣＣＤホルダ３２７を介して上記固体撮像装置３２２が対物光学系ユニット３２３に保持されている。
【０２３３】
具体的には、上記ＣＣＤホルダ３２７の内周には、上記対物レンズ群３２４に対向されたカバーガラス３２６が保持されている。
【０２３４】
また、上記カバーガラス３２６の基端面には、固体撮像素子（以下ＣＣＤと称す）３２５が取り付けられている。このＣＣＤ３２５はＣＣＤチップ３２５ａを備えて構成され、このＣＣＤチップ３２５ａは前面に貼付されたカバーガラス３２５ｂを介して上記カバーガラス３２６に取り付けられている。
【０２３５】
また、上記ＣＣＤチップ３２５ａの前面の一部には接点としてのバンプ３２５ｅが設けられ、ＣＣＤチップ３２５ａはバンプ３２５ｅを介して回路基板３２５ｃと接続されている。
【０２３６】
ここで、上記回路基板３２５ｃは、いわゆるＴＡＢ構造をなし、ポリイミド基材３２５ｆと、このポリイミド基材３２５ｆ上に設けられた銅箔からなる導体パターン３２５ｄとを備えて構成されている。上記導体パターン３２５ｄの一部はバンプ３２５ｅの近傍でポリイミド基材３２５ｆの端部より延出され、この延出された導体パターン３２５ｄがバンプ３２５ｅに接合されてＣＣＤチップ３２５ａとの信号の授受が行われるようになっている。また、上記導体パターン３２５ｄとバンプ３２５ｅとの接合部周辺は、封止樹脂３２５ｇによって密封されている。
【０２３７】
また、上記回路基板３２５ｃ上には、図示しないランドが設けられ、ＣＣＤチップ３２５ａからの出力信号を増幅するＩＣ、ノイズをキャンセルする為のコンデンサ、インピーダンスマッチングを確保する為の抵抗等からなる電子部品３２９が実装されている。なお、前記ＩＣやコンデンサや抵抗は予めＣＣＤチップ３２５ａに内蔵する構成としても良い。
【０２３８】
また、上記回路基板３２５ｃ上には、ＣＣＵ（カメラコントロールユニット）等との間で信号を授受するためのＣＣＤケーブル３３０が接続されている。このＣＣＤケーブル３３０は、例えば、ＣＣＤチップ３２５ａへ駆動信号を伝送する同軸信号線３３９と、ＣＣＤチップ３２５ａからの出力信号を図示しないプロセッサへ伝送する為の同軸信号線３４０と、ＣＣＤチップ３２５ａや前記ＩＣ３２９を駆動する為の電源供給用の単純信号線３４１と、を有して構成され、これらの各信号線がＣＣＤケーブル３３０の先端部から延出されて上記回路基板３２５ｃに接続されている。ここで、前記複数の同軸信号線の外部導体群３４２はＣＣＤチップ３２５ａから配線されているＧＮＤ電位へ接続される。また、図示のように、固体撮像装置３２２の小型化が図られ、回路基板３２５ｃ上に複数の信号線接続用のランドを設けることが困難な場合には、電子部品３２９の電極上に信号線を配置する構成がとられる。
【０２３９】
また、上記ＣＣＤホルダ３２７には、シールド部材３３２が外嵌されている。このシールド部材３３２は、不要輻射を抑制すべくＣＣＤケーブル３３０の先端部近傍まで延出されてＣＣＤ３２５の外周を覆うもので、ＣＣＤ３２５のＧＮＤライン（図示せず）に導通されている。
【０２４０】
また、上記シールド部材３３２の内周であって、上記ＣＣＤホルダ３２７の基部からＣＣＤ３２５にかけての外周には、ＣＣＤ３２５がシールド部材３３２に接触してＧＮＤ電位にショートすることを防止するための、絶縁部材３３１が被覆されている。ここで、上記絶縁部材３３１は、例えば、熱収縮チューブで構成されている。
【０２４１】
また、上記シールド部材３３２の外周には、被覆部材３３４が設けられている。この被覆部材３３４は、上記ＣＣＤホルダ３２７の先端部からＣＣＤケーブル３３０の先端部にかけて固体撮像装置３２２全体を被覆して密封するもので、被覆部材３３４を密閉する際には、ＣＣＤ３２５、回路基板３２５ｃ、各信号線等の周囲に充填剤３３３が充填される。この充填剤３３３は、例えばエポキシ系やシリコン系の接着剤でも良い。
【０２４２】
ここで、このように構成された固体撮像装置３２２は、対物レンズ群３２４とＣＣＤチップ３２５ａとの間でピント合わせが行われた状態で対物レンズ枠３２８にＣＣＤホルダ３２７が嵌合固定されて対物光学系ユニット３２３に固定されるものである。なお、対物レンズ枠３２８とＣＣＤホルダ３２７との固定の際には例えばエポキシ系の接着剤が用いられる。
【０２４３】
上記先端枠３３５の基端側には、図示しない湾曲管を構成する湾曲第１コマ３３７が接続されている。
【０２４４】
また、上記先端枠３３５の前面側には樹脂製の先端カバー３３６が設けられ、さらに、上記先端枠３３５や湾曲第１コマ３３７の外周にはゴム製の被覆部材３３８が設けられて先端部３１２が密封されている。
【０２４５】
このような実施の形態によれば、ＣＣＤ３２５外周とＣＣＤホルダ３２７に渡って絶縁部材３３ｌを被覆し、その外周にシールド部材３３２を設ける様にしたので、ＣＣＤ３２５のＧＮＤに同電位としたシールド部材３３２とＣＣＤ３２５が近接または接触して配置されても、ＣＣＤ３２５がＧＮＤにショートすることがない。すなわち、従来は、ＣＣＤ３２５とシールド部材３３２との沿面距離をこれらがショートしない様に十分離間していたが、この構成により沿面距離を短くすることが出来るので、固体撮像装置３２２の大きさを小型化でき、ひいては内視鏡の外径の細径化を図ることができる。
【０２４６】
また、ＣＣＤ３２５の外周に設けた絶縁部材３３１は、ＣＣＤ３２５の外周に強固に固定されるので、ＣＣＤ３２５、カバーガラス３２６とＣＣＤホルダ３２７との固定強度が増し、信頼性を向上させることができる。
【０２４７】
また、絶縁部材３３１をセラミック等で構成しないので製造コストを低減することができる。
【０２４８】
次に、図３２は、電子内視鏡の先端部を細径化することのできる内視鏡装置の第２の実施の形態に係わり、電子内視鏡の先端部の要部断面図である。なお、この実施の形態において、上述の電子内視鏡の先端部を細径化することのできる内視鏡装置の第１の実施の形態と同様の構成については同符号を付して説明を省略する。
【０２４９】
図３２を基に固体撮像装置３００について説明する。対物レンズ枠３Ｏ１には、対物レンズ群３２４が設けられている。
【０２５０】
また、ＣＣＤチップ３２５ａの先端部側にはカバーガラス３２５ｂが貼付され、さらにその先端部側にはカバーガラス３２６が貼付されている。このカバーガラス３２６は、上記対物レンズ枠３０１の基端側に、ＣＣＤ３２５と対物レンズ群３２４とのピント出しがなされた状態で嵌合されている。すなわち、この実施の形態において、上記対物レンズ枠３０１は、ＣＣＤ３２５を保持するためのＣＣＤホルダの役目を兼用する。
【０２５１】
また、上記対物レンズ枠３０１の基端部には、ＣＣＤ３２５を覆うように突出部３０２が設けられ、この突出部３０２とＣＣＤ３２５との間隙部３０３は接着剤が充填されている。なお、この突出部３０２は、ＣＣＤ３２５の全周を覆うように設けても良いし、ＣＣＤ３２５の一部の面に対向して設けても良い。
【０２５２】
さらに、ＣＣＤ３２５および対物レンズ枠３０１の外周には絶縁部材３３１が被覆されている。
【０２５３】
このような実施の形態によれば、上述した、電子内視鏡の先端部を細径化することのできる内視鏡装置の第１の実施の形態と略同様の効果を得ることができる。
【０２５４】
また、本実施の形態の様に、対物レンズ枠３０１にＣＣＤホルダとしての機能を兼用させるとともに、対物レンズ枠３０１の基端部にＣＣＤ３２５を覆う突出部３０２を設けることにより、ＣＣＤ３２５の対物レンズ枠３０１への接続強度をさらに向上させることができる。
【０２５５】
［付記］
（付記４−１）
先端部に固体撮像装置を有する電子内視鏡を備えた内視鏡装置において、
上記固体撮像措置は、固体撮像素子と、少なくとも上記固体撮像素子の外周を覆うシールド部材と、を備え、
上記固体撮像素子の前面にカバーガラスを貼付するとともに、少なくともこのカバーガラスを介して上記固体撮像素子を枠体に接続し、上記固体撮像素子の外周に絶縁部材を介して上記シールド部材を配置したことを特徴とする内視鏡装置。
【０２５６】
（付記４−２）
前記絶縁部材を熱収縮チューブで構成したことを特徴とする付記４−１に記載の内視鏡装置。
【０２５７】
ところで、従来より、電子内視鏡の先端部に配設された固体撮像素子に接続され、制御装置等に高周波信号を伝送する信号線には、一般に、同軸信号線が用いられる。
【０２５８】
しかしながら、このような固体撮像素子に同軸信号線を接続する際には、芯線を被覆部材から露出させて固体撮像素子に接続すると共に、この露出された芯線の後方でシールド線を露出されてＧＮＤに接続する必要があるため、先端部の硬質長が長大化する。また、狭隘な先端硬質部で芯線のみならずシールド線の接続を行うことは作業性の低下を招く。 
そこで、上記事情に鑑み、先端部の硬質長を短縮するとともに信号線接続の作業性を向上することのできる内視鏡装置について説明する。
【０２５９】
図３３は、先端部の硬質長を短縮することができるとともに信号線接続の作業性を向上することのできる内視鏡装置の一実施の形態に係わり、電子内視鏡の先端部の要部を示す断面図である。
【０２６０】
図中符号３７０は、内視鏡装置を構成する電子内視鏡の先端部を示す。この先端部３７０は、対物光学系ユニット３８１と、この対物光学系ユニット３８１の後方に配置された固体撮像装置３８０とを備えて構成されている。
【０２６１】
上記対物光学系ユニット３８１は、先端部３７０の先端側に配設された先端枠３８９に嵌合保持されている。
【０２６２】
また、上記対物光学系ユニット３８１の基端側にはＣＣＤホルダ３８４が外嵌され、このＣＣＤホルダ３８４を介して上記固体撮像装置３８０が保持されている。ここで、固体撮像装置３８０は、固体撮像素子（以下ＣＣＤと称す）３８２が対物光学系ユニット３８１との間でピント出しされた状態で保持されている。  具体的には、上記ＣＣＤホルダ３８４の内周には、カバーガラス３８３が嵌合保持され、このカバーガラス３８３の基端面に上記ＣＣＤ３８２が貼着されている。また、上記ＣＣＤ３８２は基端側にリード３８２ａを有し、リード３８２ａには、回路基板３８５が接続されている。
【０２６３】
上記先端枠３８９の基端側には、複数の湾曲コマが結合されてなる湾曲管３９２の第１湾曲コマ３９２ａが嵌合保持されている。ここで、上記第１湾曲コマ３９２ａは、少なくとも、ＣＣＤ３８２と回路基板３８５の外周を覆うように配設されている。
【０２６４】
また、上記回路基板３８５には、ＣＣＤケーブル３８７の先端部から延出された複数の同軸信号線が接続されている。ここで、上記ＣＣＤケーブル３８７の先端部は湾曲管３９２の後方に臨まされており、上記同軸信号線を構成するシールド線はＣＣＤケーブル３８７の先端部近傍で露出されてＧＮＤ接続（図示せず）されている。また、上記同軸線を構成する芯線３８７ａは回路基板３８５近傍で露出されて回路基板３８５に接続されている。この際、回路基板３８５に接続される複数の芯線３８７ａは、互いに撚り束ねられた状態で回路基板３８５近傍まで延出されている。
【０２６５】
このような実施の形態によれば、同軸信号線のシールド線３８７ｂが内視鏡先端部３７０の先端硬質部まで延出されることなく湾曲管３９２近傍でＧＮＤされるとともに、芯線３８７ａのみが上記先端硬質部まで延出されて回路基板３８５に接続されているので、先端硬質長の短縮及び信号線接続の作業性向上を図ることができる。
【０２６６】
また、湾曲管内での信号線を細くすることができるので湾曲管を細径化することができる。また、湾曲管内での信号線の充填率を減少することができ信号線の耐久性が向上する。
【図面の簡単な説明】
【０２６７】
【図１】図１〜図４は本発明の実施の形態に係わり、図１は内視鏡装置を示す全体構成図
【図２】電子内視鏡の先端部の要部断面図
【図３】ＣＣＤケーブルの要部を示す断面図
【図４】同軸信号線の要部を示す断面図
【図５】図５は実施の形態の変形例に係わり、ＣＣＤケーブルの要部を示す断面図
【図６】図６は、先端部の長さを短くし且つ固体撮像装置の構成部材の部分交換を容易に行うことのできる内視鏡装置の一実施の形態に係わり、電子内視鏡の先端部の要部断面図
【図７】図７乃至図９は、ＣＣＤケーブル接続部の接続強度の向上を図ることのできる内視鏡装置の第１の実施の形態を示し、図７は固体撮像装置の要部断面図
【図８】図７における回路基板近傍の底面図
【図９】ケーブル保持部材の展開図
【図１０】図１０は、ＣＣＤケーブル接続部の接続強度の向上を図ることのできる内視鏡装置の第２の実施の形態を示し、図１０は固体撮像装置の要部断面図
【図１１】図１１は、ＣＣＤケーブル接続部の接続強度の向上を図ることのできる内視鏡装置の第３の実施の形態を示し、図１１は固体撮像装置の要部断面図
【図１２】図１２は、ＣＣＤケーブル接続部の接続強度の向上を図ることのできる内視鏡装置の第４の実施の形態を示し、図１２は固体撮像装置の要部断面図
【図１３】図１３乃至図１６は、ＣＣＤケーブル接続部の接続強度の向上を図ることのできる内視鏡装置の第５の実施の形態を示し、図１３は固体撮像装置の要部を示す断面図
【図１４】図１３のＡ−Ａ断面図
【図１５】回路基板を斜め上方から見た斜視図
【図１６】回路基板を斜め下方から見た斜視図
【図１７】図１７，図１８は固体撮像素子と回路基板との組立性を向上することのできる内視鏡装置の一実施の形態に係わり、図１７は固体撮像素子と回路基板とを分解して示す側面図
【図１８】固体撮像素子と回路基板とが接続された状態を示す側面図
【図１９】図１９乃至図２２は賛嘆部の長さを短くすることのできる内視鏡装置の一実施の形態に係わり、図１９は固体撮像装置の要部を分解して示す断面図
【図２０】固体撮像装置の要部断面図
【図２１】他の接点構成を示す説明図
【図２２】更なる他の接点構成を示す説明図
【図２３】図２３は従来の電子内視鏡の先端部を示し、  図２３（ａ）は電子内視鏡の先端部の側面図  図２３（ｂ）は図２３（ａ）のＡ−Ａ断面図
【図２４】図２４は先端部を太径化させることなくフレア等の不具合を低減することのできる内視鏡装置の一実施の形態を示し、  図２４（ａ）は上部消化管用の電子内視鏡の先端部の要部を示すレイアウト図  図２４（ｂ）は図２４（ａ）で示す電子内視鏡で撮像された画像の一例を示す説明図  図２４（ｃ）は下部消化管用の電子内視鏡の先端部の要部を示すレイアウト図  図２４（ｄ）は図２４（ｃ）で示す電子内視鏡で撮像された画像の一例を示す説明図
【図２５】図２５は、ランプの破損を防止することのできる内視鏡装置の一実施の形態に係わり、内視鏡の操作部近傍の説明図
【図２６】図２６，図２７は単一の固体撮像素子を用いて同時に複数の観察手段２を構成することのできる内視鏡装置の第１の実施の形態に係わり、図２６は電子内視鏡の先端部の要部断面図
【図２７】はモニター上の画像の説明図
【図２８】図２８，図２９は、単一の固体撮像素子を用いて同時に複数の観察手段を構成することのできる内視鏡装置の第２の実施の形態に係わり、図２８は電子内視鏡の先端部の要部断面図
【図２９】モニター上の画像の説明図
【図３０】図３０は、一種類の撮像ユニットで規格が異なる種々の固体撮像装置に対応できる撮像ユニットの一実施の形態に係わり、撮像ユニットの要部を示す斜視図
【図３１】図３１は、電子内視鏡の先端部を細径化することのできる内視鏡装置の第１の実施の形態に係わり、電子内視鏡の先端部の要部断面図
【図３２】図３２は、電子内視鏡の先端部を細径化することのできる内視鏡装置の第２の実施の形態に係わり、電子内視鏡の先端部の要部断面図
【図３３】図３３は、先端部の硬質長を短縮することができるとともに信号線接続の作業性を向上することのできる内視鏡装置の一実施の形態に係わり、電子内視鏡の先端部の要部を示す断面図
【符号の説明】
【０２６８】
１      …      内視鏡装置
２５    …      固体撮像素子
３０    …      ＣＣＤケーブル
３９    …      同軸信号線
３９ｃ  …      第１の外部導体
３９ｄ  …      第２の外部導体
４０    …      同軸信号線
４１    …      単純信号線
代理人    弁理士    伊藤  進
【図１】
2004249119.tif 000003
【図２】
2004249119.tif 000004
【図３】
2004249119.tif 000005
【図４】
2004249119.tif 000006
【図５】
2004249119.tif 000007
【図６】
2004249119.tif 000008
【図７】
2004249119.tif 000009
【図８】
2004249119.tif 000010
【図９】
2004249119.tif 000011
【図１０】
2004249119.tif 000012
【図１１】
2004249119.tif 000013
【図１２】
2004249119.tif 000014
【図１３】
2004249119.tif 000015
【図１４】
2004249119.tif 000016
【図１５】
2004249119.tif 000017
【図１６】
2004249119.tif 000018
【図１７】
2004249119.tif 000019
【図１８】
2004249119.tif 000020
【図１９】
2004249119.tif 000021
【図２０】
2004249119.tif 000022
【図２１】
2004249119.tif 000023
【図２２】
2004249119.tif 000024
【図２３】
2004249119.tif 000025
【図２４】
2004249119.tif 000026
【図２５】
2004249119.tif 000027
【図２６】
2004249119.tif 000028
【図２７】
2004249119.tif 000029
【図２８】
2004249119.tif 000030
【図２９】
2004249119.tif 000031
【図３０】
2004249119.tif 000032
【図３１】
2004249119.tif 000033
【図３２】
2004249119.tif 000034
【図３３】
2004249119.tif 000035